(57)【要約】【課題】  工具ヘッドを変換しやすい工具の提供。【解決手段】  一対のハンドルを具え、各ハンドルに上下の嵌め板で形成された収容空間と中間位置に固定されたピンがあり、工具ヘッドは両端の作業端と中間位置の軸孔を具え、枢軸でハンドルの端部に固定され、枢軸からピンまでの距離が工具ヘッド後端の作業端の長さより短く、これによりピンが後端作業端に当接し、これにより別端の作業端が操作回転使用に供される。【選択図】        図１
0003101771.tif 000002
【実用新案登録請求の範囲】
【請求項１】
前端と後端を具え、上下の嵌め板が形成する収容空間を具えると共に中間位置にピンが固定された一対のハンドルと、
中間位置と両端の作業端とを具えた工具ヘッドと、
ハンドルの前端と工具ヘッドの中間位置を枢設し、ハンドルと工具ヘッドを枢軸に沿って回転可能とする枢軸と、
を具え、ハンドルの枢軸からピンまでの距離が工具ヘッドの前端と後端の作業端の長さより必ず短く、これによりピンが後端の作業端に当接して前端の作業端が操作により回転して使用に供されることを特徴とする、工具ヘッドを変換しやすい工具。
【請求項２】
請求項１記載の工具ヘッドを変換しやすい工具において、工具ヘッドが一対のプライヤーを具え、並びに中間位置が枢軸に枢設され、プライヤーが前端の作業端と後端の作業端を具えたことを特徴とする、工具ヘッドを変換しやすい工具。
【請求項３】
請求項１記載の工具ヘッドを変換しやすい工具において、工具ヘッドの前端の作業端と後端の作業端がレンチとされたことを特徴とする、工具ヘッドを変換しやすい工具。
【請求項４】
請求項１記載の工具ヘッドを変換しやすい工具において、ハンドルの端部に嵌合孔が設けられてドライバヘッドが嵌め込まれたことを特徴とする、工具ヘッドを変換しやすい工具。
【請求項５】
請求項１記載の工具ヘッドを変換しやすい工具において、ハンドルがハンドルの収容空間に枢設されるシールカバーを具え、収容空間にドライバヘッドを収納固定できることを特徴とする、工具ヘッドを変換しやすい工具。
【請求項６】
請求項１記載の工具ヘッドを変換しやすい工具において、一方のハンドルに複数の工具部品が枢設され、工具部品が収容空間内で内向き或いは外向きに回転可能とされたことを特徴とする、工具ヘッドを変換しやすい工具。
【請求項７】
請求項１記載の工具ヘッドを変換しやすい工具において、ハンドルに係止部が設けられたことを特徴とする、工具ヘッドを変換しやすい工具。
【請求項８】
請求項７記載の工具ヘッドを変換しやすい工具において、ハンドルに設けられたピンがヘッドを具え、係止部がもう一方のハンドルのピンに枢設され、係止部に係止孔が設けられて回転してピンのヘッドを係止してハンドルをロックできることを特徴とする、工具ヘッドを変換しやすい工具。
【考案の詳細な説明】
【技術分野】
【０００１】
本考案はハンドル上で工具ヘッドの変換取り付け使用が容易に行なえる工具に関する。
【背景技術】
【０００２】
周知のプライヤーは一対のハンドルで駆動される顎部を具え、顎はハンドルの前端に接続され、ハンドルに異なる形式の顎を取り付けて自由に変換応用することはできない。
【考案の開示】
【考案が解決しようとする課題】
【０００３】
本考案の主要な目的は、工具ヘッドを変換しやすい工具を提供することにあり、この工具は一対のハンドルを具え、各ハンドルの上下の嵌め板と隔板の間に強固な収容空間が形成され、ハンドル中間位置にピンが挿通され、工具ヘッドは中間位置と前後の作業端を具え、枢軸でハンドル前端に枢設され、工具ヘッドとハンドルが枢軸に沿って回転可能とされ、枢軸からピンまでの距離が工具ヘッド後端作業端の長さより短く、これによりピンが後端作業端に当接し、これにより前端作業端がハンドルの操作により回転し、これにより、各種の工具ヘッドを枢軸により変換してハンドルに取り付けることができ、変換使用しやすい目的を達成する。
【０００４】
該工具ヘッドは一対のプライヤーを具え、並びに中間位置が枢軸に枢設され、プライヤーが前端の作業端と後端の作業端を具えている。
【０００５】
該工具ヘッドはレンチとされ得て、ハンドル端部に嵌合孔が設けられてドライバヘッドが嵌め込まれ、ハンドルはまた、ハンドルの収容空間に枢設されたシールカバーを具え、これにより収容空間にドライバヘッドを収納固定でき、もう一つのハンドルに複数の工具部品が枢設され、工具部品が収容空間内で内向き或いは外向きに回転可能とされる。
【０００６】
ハンドルに設けられたピンはヘッドともう一つのハンドルのピンに枢設される係止部を具え、係止部に係止孔が設けられて、回転してピンのヘッドに係合され、これによりハンドルをロックすることができる。
【課題を解決するための手段】
【０００７】
請求項１の考案は、前端と後端を具え、上下の嵌め板が形成する収容空間を具えると共に中間位置にピンが固定された一対のハンドルと、
中間位置と両端の作業端とを具えた工具ヘッドと、
ハンドルの前端と工具ヘッドの中間位置を枢設し、ハンドルと工具ヘッドを枢軸に沿って回転可能とする枢軸と、
を具え、ハンドルの枢軸からピンまでの距離が工具ヘッドの前端と後端の作業端の長さより必ず短く、これによりピンが後端の作業端に当接して前端の作業端が操作により回転して使用に供されることを特徴とする、工具ヘッドを変換しやすい工具としている。
請求項２の考案は、請求項１記載の工具ヘッドを変換しやすい工具において、工具ヘッドが一対のプライヤーを具え、並びに中間位置が枢軸に枢設され、プライヤーが前端の作業端と後端の作業端を具えたことを特徴とする、工具ヘッドを変換しやすい工具としている。
請求項３の考案は、請求項１記載の工具ヘッドを変換しやすい工具において、工具ヘッドの前端の作業端と後端の作業端がレンチとされたことを特徴とする、工具ヘッドを変換しやすい工具としている。
請求項４の考案は、請求項１記載の工具ヘッドを変換しやすい工具において、ハンドルの端部に嵌合孔が設けられてドライバヘッドが嵌め込まれたことを特徴とする、工具ヘッドを変換しやすい工具としている。
請求項５の考案は、請求項１記載の工具ヘッドを変換しやすい工具において、ハンドルがハンドルの収容空間に枢設されるシールカバーを具え、収容空間にドライバヘッドを収納固定できることを特徴とする、工具ヘッドを変換しやすい工具としている。
請求項６の考案は、請求項１記載の工具ヘッドを変換しやすい工具において、一方のハンドルに複数の工具部品が枢設され、工具部品が収容空間内で内向き或いは外向きに回転可能とされたことを特徴とする、工具ヘッドを変換しやすい工具としている。
請求項７の考案は、請求項１記載の工具ヘッドを変換しやすい工具において、ハンドルに係止部が設けられたことを特徴とする、工具ヘッドを変換しやすい工具としている。
請求項８の考案は、請求項７記載の工具ヘッドを変換しやすい工具において、ハンドルに設けられたピンがヘッドを具え、係止部がもう一方のハンドルのピンに枢設され、係止部に係止孔が設けられて回転してピンのヘッドを係止してハンドルをロックできることを特徴とする、工具ヘッドを変換しやすい工具としている。
【考案の効果】
【０００８】
本考案の工具はハンドルに工具ヘッドを簡単に変換或いは取り付けることができる。
【考案を実施するための最良の形態】
【０００９】
図１から図３に示されるように、本考案の工具は一対のハンドル１１、１２を具え、各ハンドル１１、１２の上下の嵌め板５６と隔板５８の間に強固な収容空間５０、５１が形成され、ハンドル１１、１２に、上下の嵌め板５６と収容空間５０、５１を貫通し中間位置に固定されるピン４０、４１が設けられ（図６、７）、各ハンドル１１、１２の一端に枢設孔１１１、１２１が設けられ、枢軸２０、２１の嵌合に供され、並びにハンドル１１、１２が枢軸２０、２１に沿って回転可能とされ（図６、７）、枢軸２０、２１はボルトとナットが螺合してなる。
【００１０】
複数種類の工具ヘッド１０、３０、３１は、その中間位置にそれぞれ軸孔１０１、３３、３５（図３〜５）を具え、枢軸２０、２１と嵌合されることにより、各工具ヘッド１０、３０がしっかりとハンドル１１、１２にあって枢軸２０、２１に沿って回転可能とされ、工具ヘッド１０、３０はそれぞれ一対のプライヤー１００を具え、プライヤー１００の中心位置に軸孔１０１、３３が設けられて枢軸２０、２１と嵌合され、これによりプライヤー１００が枢軸２０、２１に沿って回転可能とされる。工具ヘッド１０、３０は前端の作業端１０２が例えばレンチとされ、後端の作業端１０４がペンチとされている。また、もう一種類の工具ヘッド３１は作業端３６がレンチとされ、もう一端の作業端３８が開口式レンチとされている。
【００１１】
注意すべきことは以下のとおりである。枢軸２０、２１からピン４０、４１までの距離は必ずプライヤーの前後の作業端１０２、１０４の長さ或いはもう一種類の作業端３６、３８の長さより短く、これによりピン４０、４１が後端の作業端１０４に当接し、これにより前端の作業端１０２がハンドル１１、１２の操作により回転し（図１、２、６）、図７に示されるように、ハンドル１１、１２が枢軸２０、２１に沿って回転して、ピン４０、４１が作業端１０２に当接すると、作業端１０２は作業方向を改変でき、ハンドル１１、１２操作により切断の作業を行なうことができ、その他の例えば工具ヘッド３１の作業端３６、３８はハンドル１１、１２のピン４０、４１内に位置決めされて、レンチを形成し、これにより工具ヘッド１０、３０、３１が枢軸２０、２１により非常に容易に変換使用できる。
【００１２】
シールカバー５０１は枢軸５９でハンドル１１の収容空間５０に枢設され、収容空間５０は工具部品或いはドライバヘッド６０を収容でき、ハンドル１１の端部に嵌合孔１１２が設けられてドライバヘッド６０の嵌合に供されて、スクリュードライバの機能を構成し、ハンドル１２は複数のドライバ部品或いはレンチ部品或いはナイフ或いはその他の工具部品７０を具え、これらの工具部品はしっかりとハンドル１２の枢軸７２に枢設され、並びに収容空間５１内に収容される。ピン４１は一端或いは両端にヘッド４１１を具え、該ヘッド４１１はハンドル１２の平面より突出し、もう一つのハンドル１１の係止部１１３の係止孔１１５がヘッド４１１に係合可能で、これによりハンドル１１、１２がロックされる（図１〜３）。以上より分かるように、本考案の工具はハンドルに工具ヘッドを簡単に変換或いは取り付けることができる。
【００１３】
以上の実施例は本考案の実施範囲を限定するものではなく、本考案に基づきなしうる細部の修飾或いは改変は、いずれも本考案の請求範囲に属するものとする。
【図面の簡単な説明】
【００１４】
【図１】本考案の斜視図である。
【図２】本考案の局部分解斜視図である。
【図３】本考案の局部分解斜視図である。
【図４】本考案の応用する工具ヘッドの実施例図である。
【図５】本考案の応用する別の工具ヘッドの実施例図である。
【図６】本考案の使用操作実施例図である。
【図７】本考案の使用操作実施例図である。
【符号の説明】
【００１５】
１０、３０、３１  工具ヘッド
１００  プライヤー
１０１、３３、３５  軸孔
１０２  作業端
１０４  作業端
１１、１２  ハンドル
１１１、１２１  枢設孔
１１２  嵌合孔
１１３  係止部
１１５  係止孔
２０、２１  枢軸
３６  作業端
３８  作業端
４０、４１  ピン
４１１  ヘッド
５０、５１  収容空間
５０１  シールカバー
５６  嵌め板
５８  隔板
５９  枢軸
６０  ドライバヘッド
７０  工具部品
７２  枢軸
【図１】
0003101771.tif 000003
【図２】
0003101771.tif 000004
【図３】
0003101771.tif 000005
【図４】
0003101771.tif 000006
【図５】
0003101771.tif 000007
【図６】
0003101771.tif 000008
【図７】
0003101771.tif 000009